(57)【要約】【課題】低価格化を図る。【解決手段】キートップ２０をスタビライザ３０，４０によって昇降自在に支持する。スタビライザ３０は上端及び下端がそれぞれキートップ２０及びプレート５０に回動自在に軸支され、スタビライザ４０は上端がキートップ２０に摺動自在に保持され、下端がプレート５０に回動自在に軸支される。スタビライザ３０，４０のプレート５０に軸支された軸方向は互いに直交されており、スタビライザ４０はスタビライザ３０のなす枠内に位置し、連結部６０によって連結されてスタビライザ３０と一体形成されているものとする。従来の２部品からなるリンクと異なり、１部品のスタビライザによってキートップが支持され、部品点数及び組み立て工数を削減できる。【選択図】　　　図１
2004146332.tif 000002
【特許請求の範囲】
【請求項１】
プレートと、
そのプレートの上方に位置されたキートップと、
上記プレート上に搭載されたメンブレンシートと、
上記キートップとメンブレンシートとの間に介在され、キートップの押下操作によりメンブレンシートのスイッチ接点部を押圧するドーム状ラバーと、
上記キートップを上記プレートに対して昇降自在に支持する第１及び第２のスタビライザとよりなり、
上記第１のスタビライザはその上端及び下端がそれぞれ上記キートップ及びプレートに回動自在に軸支され、上記第２のスタビライザはその上端が上記キートップに摺動自在に保持され、下端が上記プレートに回動自在に軸支されて、それら両スタビライザの上記プレートに軸支された軸方向は互いに直交されており、上記第２のスタビライザは上記第１のスタビライザがなす枠内に位置し、連結部によって連結されて第１のスタビライザと一体形成されていることを特徴とするキーボードスイッチ。
【請求項２】
プレートと、
そのプレートの上方に位置されたキートップと、
上記プレート上に搭載されたメンブレンシートと、
上記キートップとメンブレンシートとの間に介在され、キートップの押下操作によりメンブレンシートのスイッチ接点部を押圧するドーム状ラバーと、
上記キートップを上記プレートに対して昇降自在に支持する第１及び第２のスタビライザとよりなり、
上記第１及び第２のスタビライザはそれぞれその上端が上記キートップに摺動自在に保持され、下端が上記プレートに回動自在に軸支されて、それら両スタビライザの上記プレートに軸支された軸方向は互いに直交されており、
上記第２のスタビライザは上記第１のスタビライザがなす枠内に位置し、連結部によって連結されて第１のスタビライザと一体形成されていることを特徴とするキーボードスイッチ。
【請求項３】
請求項２記載のキーボードスイッチにおいて、
上記第１及び第２のスタビライザはそれぞれその上端に互いに外向きに突出された一対の軸を具備し、それら軸が上記キートップの裏面に形成された摺動保持部にそれぞれ摺動自在に保持される構造とされ、
上記摺動保持部は上記軸を収容案内するガイド溝を有し、そのガイド溝を構成する上記プレート側の壁面の、上記軸が上記押下操作時に位置する側の端部に切り欠きが設けられていることを特徴とするキーボードスイッチ。
【請求項４】
請求項１乃至３記載のいずれかのキーボードスイッチにおいて、
上記第１のスタビライザがなす枠の外側に近接して位置するように上記キートップの裏面にリブが形成されていることを特徴とするキーボードスイッチ。
【請求項５】
請求項１乃至４記載のいずれかのキーボードスイッチにおいて、
上記第１及び第２のスタビライザの下端を軸支する各支持部は上記プレートから切り起こされて形成されていることを特徴とするキーボードスイッチ。
【発明の詳細な説明】
【０００１】
【発明の属する技術分野】
この発明はパーソナルコンピュータ等のキーボードを構成するキーボードスイッチに関する。
【０００２】
【従来の技術】
図１５はこの種のキーボードスイッチの従来構成の一例を示したものであり、この例ではキートップ１１はＸ字状に交差されていわゆるパンタグラフ機構をなす２つのリンク１２，１３によって昇降自在に支持されている。
プレート１４上にはメンブレンシート１５が搭載され、このメンブレンシート１５上にフレーム１６が配置されている。フレーム１６には回動支持部１６ａと摺動保持部１６ｂとが形成されており、リンク１３はその下端の軸１３ａが回動支持部１６ａに回動自在に軸支され、リンク１２はその下端の軸１２ａが摺動保持部１６ｂに摺動自在に保持されている。
一方、キートップ１１の裏面には回動支持部１１ａと摺動保持部１１ｂとが形成されており、リンク１２の上端の軸１２ｂは回動支持部１１ａに回動自在に軸支され、リンク１３の上端の軸１３ｂは摺動保持部１１ｂに摺動自在に保持されている。
【０００３】
キートップ１１とメンブレンシート１５との間にはドーム状をなすラバー１７が介在され、このラバー１７の天頂部内面には押圧突起１７ａが突出形成されている。
キートップ１１を押下操作すると、キートップ１１は一対のリンク１２，１３のリンク作用によりほぼ水平状態を保って押し下げられ、ラバー１７が押しつぶされて、その押圧突起１７ａがメンブレンシート１５のスイッチ接点部を押圧し、これによりメンブレンシート１５の内部に形成されているスイッチ接点（図示せず）がＯＮとされる。
押圧を解除すると、ラバー１７の弾性復元力によりキートップ１１は元の位置に復帰し、スイッチ接点はＯＦＦとなる。図１５中、１５ａ〜１５ｃはそれぞれメンブレンシート１５を構成する上面シート、下面シート、スペーサを示す（例えば、特許文献１参照）。
【０００４】
【特許文献１】
特開平１１−３３９５８７号公報
【０００５】
【発明が解決しようとする課題】
ところで、このようなキーボードスイッチにおいては良好な操作感を維持しつつ、より安価に製造できる構成が望まれ、製造コストの削減を図る上で、部品点数の削減や組み立て工数の削減が重要な課題となっている。
この発明の目的はこのような課題に鑑み、部品点数を削減し、かつ簡易に組み立てられるようにし、よって安価に構成できるようにしたキーボードスイッチを提供することにある。
【０００６】
【課題を解決するための手段】
請求項１の発明によれば、キーボードスイッチはプレートと、そのプレートの上方に位置されたキートップと、プレート上に搭載されたメンブレンシートと、キートップとメンブレンシートとの間に介在され、キートップの押下操作によりメンブレンシートのスイッチ接点部を押圧するドーム状ラバーと、キートップをプレートに対して昇降自在に支持する第１及び第２のスタビライザとよりなり、第１のスタビライザはその上端及び下端がそれぞれキートップ及びプレートに回動自在に軸支され、第２のスタビライザはその上端がキートップに摺動自在に保持され、下端がプレートに回動自在に軸支されて、それら両スタビライザのプレートに軸支された軸方向は互いに直交されており、第２のスタビライザは第１のスタビライザがなす枠内に位置し、連結部によって連結されて第１のスタビライザと一体形成されているものとされる。
【０００７】
請求項２の発明によれば、キーボードスイッチはプレートと、そのプレートの上方に位置されたキートップと、プレート上に搭載されたメンブレンシートと、キートップとメンブレンシートとの間に介在され、キートップの押下操作によりメンブレンシートのスイッチ接点部を押圧するドーム状ラバーと、キートップをプレートに対して昇降自在に支持する第１及び第２のスタビライザとよりなり、第１及び第２のスタビライザはそれぞれその上端がキートップに摺動自在に保持され、下端がプレートに回動自在に軸支されて、それら両スタビライザのプレートに軸支された軸方向は互いに直交されており、第２のスタビライザは第１のスタビライザがなす枠内に位置し、連結部によって連結されて第１のスタビライザと一体形成されているものとされる。
【０００８】
請求項３の発明では請求項２の発明において、第１及び第２のスタビライザはそれぞれその上端に互いに外向きに突出された一対の軸を具備し、それら軸がキートップの裏面に形成された摺動保持部にそれぞれ摺動自在に保持される構造とされ、上記摺動保持部は上記軸を収容案内するガイド溝を有し、そのガイド溝を構成するプレート側の壁面の、上記軸が上記押下操作時に位置する側の端部に切り欠きが設けられているものとされる。
請求項４の発明では請求項１乃至３のいずれかの発明において、第１のスタビライザがなす枠の外側に近接して位置するようにキートップの裏面にリブが形成されているものとされる。
請求項５の発明では請求項１乃至４のいずれかの発明において、第１及び第２のスタビライザの下端を軸支する各支持部がプレートから切り起こされて形成されているものとされる。
【０００９】
【発明の実施の形態】
この発明の実施の形態を図面を参照して実施例により説明する。
図１は請求項１の発明によるキーボードスイッチの一実施例の構成を真上から見て示したものであり、図２及び３はその要部構造をそれぞれ一部省略した断面図で示したものである。この例ではキートップ２０は互いに一体形成されている第１のスタビライザ３０と第２のスタビライザ４０とによりプレート５０に対して昇降自在に支持されている。
図４乃至７はこれらプレート５０、キートップ２０及びスタビライザ３０，４０の部品形状を示したものであり、まずこれら図４乃至７を参照してプレート５０、キートップ２０及びスタビライザ３０，４０の構造について説明する。
【００１０】
プレート５０は図４に示したように、板面に垂直に切り起こされて形成された一対の支持片５１と一対の支持片５２及び支持片５３，５４を有するものとされる。支持片５１と５２は同様の形状とされ、その先端（上端）の一側縁には突出部５１ａ，５２ａがそれぞれ設けられている。
一対の支持片５１と一対の支持片５２とは互いに直交する方向に配列されており、支持片５３は一対の支持片５１の配列方向中間部に位置され、これら支持片５１，５３によって軸を挟み込んで回動自在に支持する第１の支持部５５が構成されている。
【００１１】
一方、支持片５４は一対の支持片５２の配列方向中間部に位置され、支持片５２，５４によって第１の支持部５５と同様に、軸を回動自在に支持する第２の支持部５６が構成されている。
上記のような構造を有するプレート５０は例えばアルミニウム板に所要の加工を施すことによって形成される。
キートップ２０は図５に示したように、その裏面凹部内に一対の回動支持部２１と一対の摺動保持部２２とが突出形成されているものとされる。これら一対の回動支持部２１と一対の摺動保持部２２とは互いに直交する方向に配列されており、回動支持部２１は図に示したように先端側が切り欠かれて開放された軸受形状とされて軸を回動自在に支持可能な構造とされている。
【００１２】
一対の摺動保持部２２は互いの対向面に、キートップ２０の裏面に沿ったガイド溝２２ａを有するものとされ、ガイド溝２２ａの延伸方向一端は閉塞され、他端は開放されている。なお、この他端側における摺動保持部２２の天面には図に示したように切り欠き２２ｂが設けられている。
次に、スタビライザ３０，４０の構造について図６及び７を参照して説明する。
第１のスタビライザ３０は図６（１）に示したように、その外形が略方形の枠状をなすものとされ、この枠内に第２のスタビライザ４０が位置されている。スタビライザ３０と４０とは連結部６０によって連結されており、この連結部６０を介して一体形成されたものとなっている。図７（２）〜（６）は図７（１）にスタビライザ４０を省略して示したスタビライザ３０の各部の断面形状を示したものである。
【００１３】
略方形枠状をなすスタビライザ３０の一辺の両端部には軸３１がその辺の両端部を構成するようにそれぞれ形成されており、これら軸３１の各内側には窓３２がそれぞれ設けられている。この窓３２には前述したキートップ２０の一対の回動支持部２１の各片側が挿入されて位置されるものとなる。
一方、スタビライザ３０の上記一辺と対向する他辺にも軸３３が形成されており、この軸３３は辺の両端部において図７（２）に示したような形状とされ、即ち内側及び下側（下面側）に円筒面を有するものとされ、この部分の内側には窓３４がそれぞれ設けられている。これら窓３４には前述したプレート５０の一対の支持片５１がそれぞれ挿入されて位置されるものとなる。
【００１４】
軸３３の中間部分は図７（３）に示したような形状とされ、外側及び下側に円筒面を有するものとされる。なお、図７（１）に示したように、辺の外側において軸３３の円筒面が途切れている部分３５は成形時のゲート部となっている。
連結部６０はスタビライザ３０の軸３３が位置する辺の内面から突出されており、図６（１）に示したように上から見てクランク形状をなし、またその中間部は図７（４）に示したように側方から見てＵ字形状をなしている。連結部６０は所要の細さとされて弾性変形可能とされ、弱いバネ構造をなすものとされる。
第２のスタビライザ４０はその基端側の一側面において連結部６０と連結されており、基端と反対側先端の両側面には互いに外向きに軸４１が突出形成されている。これら軸４１の上面側には図６（１）に示したようにテーパ面４１ａが設けられている。
【００１５】
一対の軸４１が位置するスタビライザ４０の先端部は半円状に大きく切り欠かれており、この切り欠き４２と対向してスタビライザ３０の内面にも切り欠き３６が設けられ、これら切り欠き４２と３６とによって後述するラバー７０配置用の開口が形成されている。なお、切り欠き４２の下面側には全長に渡ってラバー７０に対する逃げとしての段部４３が形成されており、同様にスタビライザ３０の切り欠き３６の中間直線部の下面側にも段部３７（図７（５）参照）が形成されている。
一方、スタビライザ４０の基端には軸４４が形成されており、この軸４４の両端部における内側には窓４５がそれぞれ設けられている。これら窓４５には前述したプレート５０の一対の支持片５２がそれぞれ挿入されて位置される。なお、軸４４は図６（１）、（３）に示したように中央部と両端部との３つの部分に分かれている。
【００１６】
次に、キーボードスイッチの全体構成、組み立てについて説明する。
プレート５０上にはメンブレンシート８０が搭載され、メンブレンシート８０のスイッチ接点部上にはドーム状をなすラバー７０が搭載される。図３中、８１〜８３はそれぞれメンブレンシート８０を構成する上面シート、下面シート、スペーサを示す。なお、スイッチ接点の図示は省略している。
ラバー７０は図３に示したような構造とされ、その天頂部の内面には押圧突起７１が突出形成されている。また、スカート部７２の下端には、その周方向４箇所にドームの内外を連通する溝７３が形成されている。
【００１７】
ラバー７０の位置決めはこの例ではＰＥＴ（ポリエチレンテレフタレート）シートにエンボス加工が施されてなるエンボスシート９０を使用して行われ、図３に示したように、そのエンボス部９１によってスカート部７２の下端が包み囲まれて固定される。エンボスシート９０の裏面にはキーボードスイッチの外観品位の点から黒色の印刷が一般に施される。
なお、エンボスシート９０及びメンブレンシート８０には特に図には示していないが、プレート５０の各支持片５１〜５４と対応する位置に穴がそれぞれ形成されており、各支持片５１〜５４はそれら穴を介してエンボスシート９０上に図２及び３に示したように突出される。
スタビライザ３０，４０はそれらの軸３３及び４４がそれぞれプレート５０の一対の支持片５１と支持片５３とよりなる支持部５５及び一対の支持片５２と支持片５４とよりなる支持部５６に嵌め込まれて取り付けられる。
この状態でスタビライザ３０，４０はエンボスシート９０上に載置された状態となっており、ラバー７０上にキートップ２０を乗せてキートップ２０を押し下げる（押しつける）ことにより、その一対の回動支持部２１及び一対の摺動保持部２２がスタビライザ３０の軸３１及びスタビライザ４０の軸４１と嵌合される。
【００１８】
このようにして組み立てられたキーボードスイッチは図１乃至３に示したような構造となり、スタビライザ３０の軸３３は図２に示したように下端に位置してプレート５０の支持部５５に回動自在に軸支され、一方上端に位置する軸３１はキートップ２０の回動支持部２１に回動自在に軸支される。
また、スタビライザ４０の軸４４は図３に示したように下端に位置してプレート５０の支持部５６に回動自在に軸支され、一方上端に位置する軸４１はキートップ２０の摺動保持部２２のガイド溝２２ａに収容されて摺動自在に保持される。なお、この状態で連結部６０はそのＵ字が広がった状態となっている。
上述したように、スタビライザ３０，４０の軸３３，４４は、共にプレート５０の支持部５５，５６に回動支持されるものとなっており、それら支持部５５，５６に同様に嵌め込むことによってスタビライザ３０，４０をプレート５０に取り付けることができるため、容易に組み込めるものとなっている。
また、このようにプレート５０に軸支されることにより、スタビライザ３０，４０の組み込み後の位置が安定するため、次工程のキートップ２０の組み込み性が向上する。
【００１９】
なお、スタビライザ３０，４０の軸３３，４４は共にスタビライザ３０，４０の下面側に所要量突出しており、この突出量と等しい凸部３８，４６がこの例ではスタビライザ３０，４０の下面の反対側に図６（３）に示したようにそれぞれ設けられているため、これによりプレート５０に取り付けた状態でスタビライザ３０，４０はエンボスシート９０上に水平に位置するものとなり、この点でよりキートップ２０の組み込み性が向上している。
さらに、この例では図５に示したようにキートップ２０の摺動保持部２２の天面に、つまりスタビライザ４０の軸４１を収容案内するガイド溝２２ａを構成するプレート５０側の壁面に、エンボスシート９０上に載置された状態のスタビライザ４０の軸４１の位置と対応するように切り欠き２２ｂを設け、一方スタビライザ４０の軸４１には図６（１）に示したようにテーパ面４１ａを設けているため、摺動保持部２２と軸４１との嵌合を容易に行えるものとなっている。
上記のようにして構成されたキーボードスイッチはキートップ２０を押下操作すると、スタビライザ３０，４０が回動し、ラバー７０が押しつぶされて、その押圧突起７１がメンブレンシート８０のスイッチ接点部を押圧し、これによりメンブレンシート８０の内部に形成されているスイッチ接点がＯＮとなる。
【００２０】
押圧を解除すると、ラバー７０の弾性復元力によりキートップ２０は元の位置に復帰し、スイッチ接点はＯＦＦとなる。
なお、スペース上、ラバー７０は図１に示したようにキートップ２０の中心から偏心して配置されており、キートップ２０を押下操作した際にラバー７０の抗力（弾性復元力）によるモーメントが発生し、キートップ２０の傾きが生じうる構造となっているが、この例ではスタビライザ４０の軸４１をキートップ２０に設けた摺動保持部２２によって摺動保持する構造となっていることから、回動支持する構造に比し、モーメントを軽減できるものとなっている。以下、この点について図８を参照して説明する。
【００２１】
図８（１）はスタビライザ４０とラバー７０との関係を示したものであり、図８（２）はキートップ２０の変位と荷重の関係（変位荷重特性）を示したものである。ここで、図８（１）に示したように初期状態におけるスタビライザ４０の軸４１の中心とラバー７０の中心線との距離をＬとする。また、荷重をＰで表わす。
まず、図８（２）中に示した各領域Ａ〜Ｃについて説明する。
・領域Ａ：キートップの傾きが感じられる領域
・領域Ｂ：キートップの傾きが矯正される領域
…Ｐ，Ｌ共に減少域
・領域Ｃ：キートップの傾きは無視できる領域
…Ｐは大きくなるが、Ｌが最短になる領域であり、指で傾きやぐらつきを感じない領域
以上より、領域Ａがポイントとなる領域であり、この領域での摺動構造と回動構造のモーメントを対比して示すと、下記のようになる。
2004146332.tif 000003
上記より明らかなように、摺動構造を採用することにより、モーメントを軽減でき、キートップの傾きやぐらつきを軽減できるものとなっている。
なお、上述した実施例では図３に示したように、ラバー７０はエンボスシート９０により固定されるものとなっているが、メンブレンシート８０上に黒色印刷を施した単なるＰＥＴシートを搭載し、そのＰＥＴシートにラバー７０を貼り付けることによって固定するようにしてもよい。また、メンブレンシート８０の上面に黒色印刷を施し、メンブレンシート８０に直接ラバー７０を貼り付けることもできる。
【００２２】
次に、請求項２の発明によるキーボードスイッチの一実施例について、図９乃至１４を参照して説明する。
図９は図１と同様、キーボードスイッチの構成を真上から見て示したものであり、図１０及び１１はその要部構造を図２及び３と同様、それぞれ一部省略した断面図で示したものである。この例では図１乃至３に示したキーボードスイッチと異なり、第１のスタビライザ３０′の上端がキートップ２０′に摺動自在に保持されており、つまり第１及び第２のスタビライザ３０′，４０′は共にその上端がキートップ２０′に摺動自在に保持されているものとされる。
図１２及び１３はこれらキートップ２０′及び連結部６０によって連結されて一体形成されているスタビライザ３０′，４０′の部品形状を示したものであり、これら図１２及び１３を参照してこの例におけるキートップ２０′及びスタビライザ３０′，４０′の構造について説明する。なお、図５乃至７と対応する部分には同一符号を付し、その詳細な説明を省略する。
【００２３】
図１２に示したように、キートップ２０′の裏面凹部内には一対の摺動保持部２２に加え、もう一対の摺動保持部２３が突出形成されており、即ち図５に示したキートップ２０の一対の回動支持部２１に替えて、一対の摺動保持部２３が形成されたものとなっている。
一対の摺動保持部２３は摺動保持部２２と同様の形状とされ、互いの対向面にキートップ２０′の裏面に沿ったガイド溝２３ａを有するものとされて、ガイド溝２３ａの延伸方向一端は閉塞され、他端は開放されている。なお、開放端はキートップ２０′の前縁２４側とされ、この開放端側における摺動保持部２３の天面（ガイド溝２３ａを構成するプレート５０側の壁面）には摺動保持部２２と同様、切り欠き２３ｂが設けられている。
【００２４】
キートップ２０′の裏面凹部内にはこの例ではさらに各一対のリブ２５，２６とボス２７とが形成されている。ボス２７はドーム状ラバー７０（図１１参照）の中心と対応する位置に突設されており、その中心には孔２７ａが設けられている。
一対のリブ２５は前縁２４をなす辺に配列されて前後方向に設けられており、もう一対のリブ２６はこの辺と隣接する辺に、つまり左右の辺に互いに対向し、左右方向に設けられている。なお、これらリブ２５，２６は裏面凹部の周縁の傾斜面部分に配置されており、各内端にはテーパ面２５ａ，２６ａが形成されている。
【００２５】
次に、スタビライザ３０′，４０′の構造について、図１３を参照して説明する。
スタビライザ３０′，４０′の、図６及び７に示したスタビライザ３０，４０と基本的に異なる箇所はスタビライザ３０′の軸３１部分の形状であり、即ちこの例では略方形枠状をなすスタビライザ３０′の一辺の両端部分が切り欠かれて、その切り欠き部分３９に軸３１が互いに外向きに突出形成されているものとされる。これら軸３１の上面側には図１３に示したようにテーパ面３１ａがスタビライザ４０′の軸４１と同様に設けられている。
上述したキートップ２０′及びスタビライザ３０′，４０′以外の構成部品は前述の、図１乃至３に示したキーボードスイッチの構成部品と同じであり、組み立ては図１乃至３に示したキーボードスイッチと同様にして行われる。
【００２６】
キートップ２０′の組み込みはラバー７０上にキートップ２０′を乗せ、エンボスシート９０上に位置するスタビライザ３０′，４０′にキートップ２０′を押しつけ、各摺動保持部２３，２２にスタビライザ３０′，４０′の軸３１，４１を嵌合させることによって行われるが、各摺動保持部２２，２３には切り欠き２２ｂ，２３ｂが設けられ、また各軸３１，４１にはテーパ面３１ａ，４１ａが設けられているため、それら摺動保持部２３，２２と軸３１，４１との嵌合を容易に行うことができる。
キートップ２０′の裏面に設けられているボス２７は、図１１に示したようにラバー７０に設けられている凹部７４に係合される。
なお、この例ではキートップ２０′の裏面にリブ２５，２６が設けられ、これらリブ２５，２６は図９に示したようにスタビライザ３０′のなす枠の外側に近接して位置し、かつ内端にはテーパ面２５ａ，２６ａを有するものとなっているため、キートップ２０′の組み込み時にこれらリブ２５，２６によってキートップ２０′が案内、位置決めされるものとなっており、よって簡易かつ確実に組み込めるものとなっている。図９中、９２はエンボスシート９０に設けられている穴を示し、メンブレンシート８０にも同様の穴が形成されている。
【００２７】
上記のようにして組み立てられたキーボードスイッチは図９乃至１１に示したような構造となり、スタビライザ３０′，４０′の上端は共にキートップ２０′に摺動自在に保持される。
従って、キートップ２０′を押下操作すると、この例ではキートップ２０′は垂直方向に変位し、よってラバー７０のフィーリング特性を最大限に引き出すことができ、良好な操作感触が得られるものとなる。
なお、この例ではキートップ２０′の各摺動保持部２３，２２には、キートップ２０′押下操作時にスタビライザ３０′，４０′の軸３１，４１が位置する側の端部に、前述したように切り欠き２３ｂ，２２ｂが設けられており、これにより例えばキートップ２０′を取り外す必要が生じた場合に、無理なく取り外しを行えるものとなっている。
【００２８】
図１４はこの様子を示したものであり、キートップ２０′を押し込み、かつキートップ２０′を例えば矢印で示した方向に回転させることで、スタビライザ３０′，４０′の軸３１，４１と摺動保持部２３，２２との係合を解除することができる。
このように、この例によれば従来、キートップを取り外す際に発生していた部材の損傷、破壊といった不具合は発生せず、良好にキートップの取り外しを行うことができる。
【００２９】
【発明の効果】
以上説明したように、この発明によれば２つのリンクによってキートップを支持する従来のキーボードスイッチと異なり、一体化された１部品のスタビライザによってキートップを支持する構造のため、部品点数を削減でき、かつ従来の２部品からなるリンクの組み立て工数を削減できるため、その分キーボードスイッチを安価に製造することができる。
また、従来においてはリンクの下端側を支持する部材としてキーボードスイッチのベースをなすプレートとは別に支持部品を設けていたのに対し、この発明では別部品を用いることなく、プレートによって支持する構造となっているため、この点でも部品点数が削減されており、安価に製造できるものとなっている。
【００３０】
さらに、一体化され、１部品とされたスタビライザの直交する２つの軸は共にプレートに回動支持されるものとされ、プレートの支持部に同様に嵌め込むことによって取り付けることができるため、簡易に組み込むことができ、また組み込み後の位置が安定するため、次工程のキートップの組み込みも容易に行うことができ、これらの点でも組み立て易く、安価に製造できるものとなっている。
なお、請求項２の発明ではキートップとスタビライザとの係合は全て摺動構造となっており、キートップを押下操作するとキートップはその押下方向に動き、つまり垂直方向に動くため、良好な操作感を得ることができる。
【図面の簡単な説明】
【図１】請求項１の発明の一実施例を説明するための平面図（スタビライザを水平状態として示している）。
【図２】請求項１の発明の一実施例を説明するための一部省略した断面図。
【図３】請求項１の発明の一実施例を説明するための一部省略した断面図（図２と直交方向から見た図）。
【図４】図２、３におけるプレートの構造を示す図、（１）は平面図、（２）は正面図、（３）は側面図、（４）はＡＡ断面図、（５）はＢＢ断面図。
【図５】図１におけるキートップの構造を示す図、（１）は平面図、（２）は側面図、（３）は底面図、（４）はＡＡ断面図、（５）はＢＢ断面図。
【図６】図１における一体化されたスタビライザの構造を示す図、（１）は平面図、（２）は正面図、（３）は底面図、（４）は側面図。
【図７】（１）は図６（１）に対し、スタビライザ４０を省略した平面図、（２）はそのＡＡ断面図、（３）はＢＢ断面図、（４）はＣＣ断面図、（５）はＤＤ断面図、（６）はＥＥ断面図。
【図８】（１）はラバーと回動するスタビライザ４０の関係を示す図、（２）はキートップの変位と荷重の関係を示すグラフ。
【図９】請求項２の発明の一実施例を説明するための平面図（スタビライザを水平状態として示している）。
【図１０】請求項２の発明の一実施例を説明するための一部省略した断面図。
【図１１】請求項２の発明の一実施例を説明するための一部省略した断面図（図１０と直交方向から見た図）。
【図１２】図９におけるキートップの構造を示す図、（１）は平面図、（２）は側面図、（３）は底面図、（４）はＡＡ断面図、（５）はＢＢ断面図。
【図１３】図９における一体化されたスタビライザの構造を示す平面図。
【図１４】図９に示したキーボードスイッチにおけるキートップの取り外し方法を説明するための図。
【図１５】従来のキーボードスイッチを示す断面図。
【図１】
2004146332.tif 000004
【図２】
2004146332.tif 000005
【図３】
2004146332.tif 000006
【図４】
2004146332.tif 000007
【図５】
2004146332.tif 000008
【図６】
2004146332.tif 000009
【図７】
2004146332.tif 000010
【図８】
2004146332.tif 000011
【図９】
2004146332.tif 000012
【図１０】
2004146332.tif 000013
【図１１】
2004146332.tif 000014
【図１２】
2004146332.tif 000015
【図１３】
2004146332.tif 000016
【図１４】
2004146332.tif 000017
【図１５】
2004146332.tif 000018